(57)【要約】【課題】凝縮器用フィルタの清掃を容易、且つ、確実に行うことができるショーケースを提供する。【解決手段】副キックプレート３３に移動自在に設けられ、凝縮器用フィルタ２３に付着した塵埃を除去するための清掃装置２６を備える。清掃装置は、枠状の清掃装置本体５６と、清掃装置の移動方向における清掃装置本体の両端部に設けられ、凝縮器用フィルタの外気流入側に摺動自在に当接するブラシ５８を有する。主キックプレート３１には清掃装置の移動可能領域に位置してブラシに付着した塵埃を除去するための塵埃除去具７１が設けられる。ブラシが塵埃除去具を通過するとブラシに付着した塵埃が清掃装置本体の内側に回収される。【選択図】図４
2020028637.tif 000002
【特許請求の範囲】
【請求項１】
機械室と、該機械室を閉塞するキックプレートと、該キックプレートに形成された通気孔と、該通気孔に対向する位置の前記機械室内に設置された凝縮器と、前記通気孔から前記凝縮器に至る外気の通風路に配置された凝縮器用フィルタを備えたショーケースにおいて、
前記キックプレートに移動自在に設けられ、前記凝縮器用フィルタに付着した塵埃を除去するための清掃装置を備え、
該清掃装置は、
枠状、若しくは、容器状の清掃装置本体と、
前記清掃装置の移動方向における前記清掃装置本体の少なくとも両端部に設けられ、前記凝縮器用フィルタの外気流入側に摺動自在に当接するブラシを有し、
前記キックプレートには前記清掃装置の移動可能領域に位置して前記ブラシに付着した塵埃を除去するための塵埃除去部が設けられ、
前記ブラシが前記塵埃除去部を通過したとき、前記ブラシに付着した塵埃が前記清掃装置本体の内側に回収されることを特徴とするショーケース。
【請求項２】
前記機械室はショーケース本体の下部又は上部に構成されており、
前記清掃装置は、左右方向に移動自在に設けられていることを特徴とする請求項１に記載のショーケース。
【請求項３】
前記キックプレートは、前記凝縮器に対向する位置に形成された開口を有する主キックプレートと、該主キックプレートに取り付けられ、当該主キックプレートの開口を開閉自在に閉塞する副キックプレートから成り、
前記通気孔は前記副キックプレートに形成されており、
前記清掃装置は、前記副キックプレートの内側に移動自在に設けられて当該副キックプレートの外側から操作可能とされていることを特徴とする請求項１又は請求項２に記載のショーケース。
【請求項４】
前記清掃装置は、前記清掃装置本体に設けられて前記副キックプレート側に突出する操作部を有し、
前記副キックプレートには、前記清掃装置の移動方向に延在するスリットが形成され、前記操作部は、前記スリットに挿通されて前記副キックプレートの外側に臨むことを特徴とする請求項３に記載のショーケース。
【請求項５】
前記凝縮器用フィルタは、前記主キックプレートの開口に、前記副キックプレート側から着脱可能に取り付けられていることを特徴とする請求項３又は請求項４に記載のショーケース。
【請求項６】
前記副キックプレートは、前記主キックプレートに着脱可能に取り付けられていることを特徴とする請求項３乃至請求項５のうちの何れかに記載のショーケース。
【請求項７】
前記主キックプレートには前記清掃装置の移動可能領域の所定位置に設けられたストッパを備え、
前記清掃装置は移動されて前記ストッパに係脱自在に係合すると共に、前記清掃装置が前記ストッパに係合した状態で、前記副キックプレートの開放が禁止されることを特徴とする請求項３乃至請求項６のうちの何れかに記載のショーケース。
【請求項８】
前記清掃装置の移動を検出するための清掃検出装置と、
該清掃検出装置の検出結果に基づいて前記凝縮器用フィルタの清掃実施状況を判定する制御装置を備え、
前記清掃検出装置は、前記清掃装置の移動を検出して出力を発生する検出出力発生部を有し、該検出出力発生部を前記主キックプレートに設けたことを特徴とする請求項３乃至請求項７のうちの何れかに記載のショーケース。
【発明の詳細な説明】
【技術分野】
【０００１】
本発明は、機械室内に設置された凝縮器と凝縮器用フィルタを備えたショーケースに関するものである。
【背景技術】
【０００２】
コンビニエンスストアやスーパーマーケット等の店舗に設置される所謂内蔵型のショーケースは、商品陳列室を有するショーケース本体と、このショーケース本体の下部に構成された機械室を備えており、この機械室内に冷凍装置の一部を構成する圧縮機や凝縮器、凝縮器用送風機等が設置されている。また、機械室の周囲は開口しており、前面の開口はキックプレートにより開閉自在に閉塞されている。このキックプレートには、機械室内に外気を取り入れるための多数の通気孔が形成されており、凝縮器はこの通気孔に対向する位置に配置され、凝縮器用送風機の運転によりキックプレートの通気孔から導入された外気が凝縮器に通風される構成とされている。
【０００３】
ここで、凝縮器に流入する外気には塵埃が含まれるため、この塵埃により凝縮器に目詰まりが生じて冷媒と外気との熱交換効率が悪化し、消費電力が増大する危険性がある。また、この目詰まりが長期間放置されると冷却性能が悪化し、商品の劣化を引き起こすことになる。そこで、キックプレートの通気孔から凝縮器に至る外気の通風路には凝縮器用フィルタが着脱自在に設けられ、凝縮器用フィルタにより、通気孔から導入された外気中に含まれる塵埃を捕獲するようにしていた。
【先行技術文献】
【特許文献】
【０００４】
【特許文献１】特開２０１６−１０９３９０号公報
【発明の概要】
【発明が解決しようとする課題】
【０００５】
しかしながら、この凝縮器用フィルタに塵埃が蓄積しても凝縮器への外気の通風量が低下するため、前述と同様に、冷媒と外気との熱交換効率が悪化し、消費電力が増大する等の支障が生じる。そのため、凝縮器用フィルタは定期的な清掃する必要であるが、その際の清掃作業は、先ずキックプレートを開けて機械室内から凝縮器用フィルタを取り外し、この凝縮器用フィルタの水洗いや、掃除機等での塵埃の吸引等の洗浄作業を行うものであった。
【０００６】
そのため、ショーケースにおける凝縮器フィルタの清掃作業は手間と時間がかかり、広い作業スペースを確保する必要もあった。このような問題を解決するために、特許文献１ではキックプレートの上部に切り欠き部を設け、凝縮器用フィルタを、この切り欠き部を介して機械室から取り出し可能としていたが、依然として凝縮器用フィルタの着脱作業が必要となり、取り外した凝縮器用フィルタを店舗裏などの作業場に持ち出し、洗浄等を行う必要もあった。
【０００７】
また、凝縮器用フィルタはメッシュ部材で構成されているため、洗浄作業にはある程度の慣れが必要であり、慣れていない店員が洗浄作業を行うと、洗浄が十分でなく塵埃が残存することもあった。このように凝縮器用フィルタの清掃作業は、依然として時間や手間、慣れが必要であり、これをより容易、且つ、確実に行いたいという要望があった。
【０００８】
本発明は、係る従来の技術的課題を解決するために成されたものであり、凝縮器用フィルタの清掃を容易、且つ、確実に行うことができるショーケースを提供することを目的とする。
【課題を解決するための手段】
【０００９】
本発明のショーケースは、機械室と、この機械室を閉塞するキックプレートと、このキックプレートに形成された通気孔と、この通気孔に対向する位置の機械室内に設置された凝縮器と、通気孔から凝縮器に至る外気の通風路に配置された凝縮器用フィルタを備えたものであって、キックプレートに移動自在に設けられ、凝縮器用フィルタに付着した塵埃を除去するための清掃装置を備え、この清掃装置は、枠状、若しくは、容器状の清掃装置本体と、清掃装置の移動方向における清掃装置本体の少なくとも両端部に設けられ、凝縮器用フィルタの外気流入側に摺動自在に当接するブラシを有し、キックプレートには清掃装置の移動可能領域に位置してブラシに付着した塵埃を除去するための塵埃除去部が設けられ、ブラシが塵埃除去部を通過したとき、ブラシに付着した塵埃が清掃装置本体の内側に回収されることを特徴とする。
【００１０】
請求項２の発明のショーケースは、上記発明において機械室はショーケース本体の下部又は上部に構成されており、清掃装置は、左右方向に移動自在に設けられていることを特徴とする。
【００１１】
請求項３の発明のショーケースは、上記各発明においてキックプレートは、凝縮器に対向する位置に形成された開口を有する主キックプレートと、この主キックプレートに取り付けられ、当該主キックプレートの開口を開閉自在に閉塞する副キックプレートから成り、通気孔は副キックプレートに形成されており、清掃装置は、副キックプレートの内側に移動自在に設けられて当該副キックプレートの外側から操作可能とされていることを特徴とする。
【００１２】
請求項４の発明のショーケースは、請求項３の発明において清掃装置は、清掃装置本体に設けられて副キックプレート側に突出する操作部を有し、副キックプレートには、清掃装置の移動方向に延在するスリットが形成され、操作部は、スリットに挿通されて副キックプレートの外側に臨むことを特徴とする。
【００１３】
請求項５の発明のショーケースは、請求項３又は請求項４の発明において凝縮器用フィルタは、主キックプレートの開口に、副キックプレート側から着脱可能に取り付けられていることを特徴とする。
【００１４】
請求項６の発明のショーケースは、請求項３乃至請求項５の発明において副キックプレートは、主キックプレートに着脱可能に取り付けられていることを特徴とする。
【００１５】
請求項７の発明のショーケースは、請求項３乃至請求項６の発明において主キックプレートには清掃装置の移動可能領域の所定位置に設けられたストッパを備え、清掃装置は移動されてストッパに係脱自在に係合すると共に、清掃装置がストッパに係合した状態で、副キックプレートの開放が禁止されることを特徴とする。
【００１６】
請求項８の発明のショーケースは、請求項３乃至請求項７の発明において清掃装置の移動を検出するための清掃検出装置と、この清掃検出装置の検出結果に基づいて凝縮器用フィルタの清掃実施状況を判定する制御装置を備え、清掃検出装置は、清掃装置の移動を検出して出力を発生する検出出力発生部を有し、この検出出力発生部を主キックプレートに設けたことを特徴とする。
【発明の効果】
【００１７】
本発明によれば、機械室と、この機械室を閉塞するキックプレートと、このキックプレートに形成された通気孔と、この通気孔に対向する位置の機械室内に設置された凝縮器と、通気孔から凝縮器に至る外気の通風路に配置された凝縮器用フィルタを備えたショーケースにおいて、凝縮器用フィルタに付着した塵埃を除去するための清掃装置をキックプレートに移動自在に設け、この清掃装置に、枠状、若しくは、容器状の清掃装置本体と、清掃装置の移動方向における清掃装置本体の少なくとも両端部に、凝縮器用フィルタの外気流入側に摺動自在に当接するブラシを設けたので、清掃装置を移動させることにより、凝縮器用フィルタに付着した塵埃をブラシにより除去することができるようになる。これにより、凝縮器用フィルタの清掃を容易、且つ、確実に行い、凝縮器における冷媒と外気との熱交換効率の悪化を防止することができるようになる。
【００１８】
特に、キックプレートには清掃装置の移動可能領域に位置してブラシに付着した塵埃を除去するための塵埃除去部を設け、ブラシが塵埃除去部を通過したとき、ブラシに付着した塵埃が清掃装置本体の内側に回収されるようにしたので、ブラシに塵埃が堆積して通気孔から外部に露出し、外観が悪化する不都合も解消することができるようになる。
【００１９】
この場合、機械室がショーケース本体の下部又は上部に構成されている場合には、凝縮器用フィルタは横長形状のものとなるので、請求項２の発明の如く、清掃装置を左右方向に移動自在に設けることで、凝縮器用フィルタ全体を円滑に清掃することができるようになる。
【００２０】
また、請求項３の発明の如くキックプレートを、凝縮器に対向する位置に形成された開口を有する主キックプレートと、この主キックプレートに取り付けられ、当該主キックプレートの開口を開閉自在に閉塞する副キックプレートから構成し、通気孔を副キックプレートに形成すると共に、清掃装置を副キックプレートの内側に移動自在に設ければ、副キックプレートを開放することで、凝縮器用フィルタと清掃装置が分離され、清掃装置の清掃装置本体内に回収した塵埃を取り出すことができるようになる。
【００２１】
即ち、主キックプレートを開放すること無く、副キックプレートを開放するのみで清掃装置本体の内側に回収した塵埃を取り除くことができるようになるので、清掃装置からの塵埃の回収作業も容易となり、そのための作業スペースも縮小することができるようになる。また、清掃装置は副キックプレートの外側から操作可能とされているので、操作性も向上する。
【００２２】
この場合、請求項４の発明の如く清掃装置の清掃装置本体に、副キックプレート側に突出する操作部を設け、副キックプレートには、清掃装置の移動方向に延在するスリットを形成して、操作部がスリットに挿通されて副キックプレートの外側に臨むようにすることで、副キックプレートの外側から清掃装置を極めて容易、且つ、円滑に移動操作することができるようになる。
【００２３】
また、請求項５の発明の如く凝縮器用フィルタを、主キックプレートの開口に、副キックプレート側から着脱可能に取り付けるようにすれば、凝縮器用フィルタそのものの汚れが目立って来た場合や、破損した場合等にも副キックプレートを開放するだけで凝縮器用フィルタを取り出し、洗浄や交換を行うことができるようになり、凝縮器用フィルタ自体のメンテナンス作業性も極めて良好なものとなる。
【００２４】
特に、請求項６の発明の如く副キックプレートを、主キックプレートに着脱可能に取り付けるようにすれば、副キックプレートを主キックプレートから取り外した状態で清掃装置からの塵埃の回収や凝縮器用フィルタの着脱を行うことができるようになるので、メンテナンス作業性が一層向上する。
【００２５】
また、請求項７の発明の如く清掃装置の移動可能領域の所定位置における主キックプレートにストッパを設け、清掃装置を移動することでストッパに係脱自在に係合するようにすると共に、清掃装置がストッパに係合した状態では、副キックプレートの開放が禁止されるようにすれば、副キックプレートが不用意に開放されてしまう不都合を回避することができるようになる。
【００２６】
更に、請求項８の発明の如く清掃装置の移動を検出するための清掃検出装置と、この清掃検出装置の検出結果に基づいて凝縮器用フィルタの清掃実施状況を判定する制御装置を設ければ、凝縮器用フィルタの清掃実施状況に基づき、凝縮器用フィルタの清掃時期の管理など種々の管理を行うことができるようになる。特に、清掃検出装置が清掃装置の移動を検出して出力を発生する検出出力発生部を有しており、この検出出力発生部を主キックプレートに設けるようにすれば、清掃検出装置の検出出力発生部の配線を主キックプレート側で行うことができるようになり、副キックプレートの開閉操作も支障無く行うことができるようになる。
【図面の簡単な説明】
【００２７】
【図１】本発明を適用した一実施例のショーケースの斜視図である。
【図２】図１のショーケースの縦断側面図である。
【図３】図１のショーケースのキックプレートの斜視図である。
【図４】副キックプレートを開いた状態の図３のキックプレートの斜視図である。
【図５】図３のキックプレートの主キックプレートの前方斜視図である。
【図６】図５の主キックプレートの後方斜視図である。
【図７】図３のキックプレートの副キックプレートの前方斜視図である。
【図８】図７の副キックプレートの後方斜視図である。
【図９】図１のショーケースの清掃装置の斜視図である。
【図１０】図１のショーケースの凝縮器用フィルタの正面図である。
【図１１】副キックプレートを透視した状態の図３のキックプレートの正面図である。
【図１２】図１０の凝縮器用フィルタの清掃を行う手順を説明する図である。
【図１３】同じく図１０の凝縮器用フィルタの清掃を行う手順を説明する図である。
【図１４】同じく図１０の凝縮器用フィルタの清掃を行う手順を説明する図である。
【図１５】同じく図１０の凝縮器用フィルタの清掃を行う手順を説明する図である。
【図１６】同じく図１０の凝縮器用フィルタの清掃を行う手順を説明する図である。
【図１７】同じく図１０の凝縮器用フィルタの清掃を行う手順を説明する図である。
【図１８】図１のショーケースの制御系の機能ブロック図である。
【発明を実施するための形態】
【００２８】
以下、本発明の一実施形態について、図面を参照して詳細に説明する。図１は本発明を適用した一実施例のショーケース１の斜視図、図２は縦断側面図である。
【００２９】
（１）ショーケース１の基本構造
実施例のショーケース１は、内側に商品陳列室３を形成する前面開口のショーケース本体２と、このショーケース本体２の下部に構成された機械室４を備えたものである。ショーケース本体２は、側断面が略コ字状の断熱壁５と、断熱壁５の内側に所定の間隔をおいて配置された仕切板６と、断熱壁５の後方に所定の間隔をおいて配置された背面板７と、断熱壁５の前端部から背面板７の上端に渡って配設された天井パネル８と、断熱壁５と仕切板６間の空間、及び、断熱壁５と背面板７間の空間の左右方向を閉鎖する左右一対の側板９と、これら側板９の外側に設けた左右一対のガラス板１０とを備える。
【００３０】
商品陳列室３内には、複数段（実施例では５段）の着脱自在の商品棚１１が架設されており、商品棚１１の下方には底棚１２が配設されている。底棚１２は、断熱壁５の底壁と所定の間隔をおいて配置されると共に、後端部が仕切板６の下端に当接している。このような構成により、仕切板６及び底棚１２と断熱壁５との間に冷気ダクト１３を構成されている。
【００３１】
底棚１２と断熱壁５との間には冷気循環用送風機１４が設置されており、仕切板６の後側の冷気ダクト１３内には冷凍装置の一部を構成する冷却器１５が設置されている。これにより、冷気循環用送風機１４が運転されると、冷却器１５で冷却された冷気はダクト１３内を流通し、その上部前端の吹出口から吹き出される。吹出口から吹き出された冷気は商品陳列室３の前面開口に冷気エアーカーテンを形成しながら商品陳列室３内を冷却し、下部前端の吸入口から冷気ダクト１３内に流入する。
【００３２】
機械室４は、直方体状のフレームからなる架台１６の左右側面の開口を閉塞する板状の側板１７と、架台１６の底面開口を閉塞する底板（図示省略）と、架台１６の前側面の開口を開閉可能に閉塞するキックプレート２４と、断熱壁５の底面と、背面板７の下部によって区画された空間である。この機械室４の上部後端は、背面板７及び断熱壁５間に形成された排気ダクト１８と連通しており、この排気ダクト１８により、機械室４内で発生する熱が外部に排出される構成とされている。
【００３３】
機械室４内には、冷凍装置の一部を構成する凝縮器２０及び圧縮機２２と、凝縮器用フィルタ２３と、本発明の清掃装置２６と、凝縮器用送風機２１、及び、その他の電装装置（図示省略）等の機器が設置されている。凝縮器２０は、機械室４の前端部、即ち、キックプレート２４と対向する位置に配置されている。
【００３４】
また、この実施例ではキックプレート２４は、当該キックプレート２４の主体となる主キックプレート３１と、この主キックプレート３１に取り付けられ、当該主キックプレート３１に形成された横長矩形状の開口３２を開閉自在に閉塞する副キックプレート３３から成る二部品構成とされており、凝縮器用フィルタ２３は後述する如く主キックプレート３１に取り付けられ、清掃装置２６は後述する如く副キックプレート３３に取り付けられる。開口３２の外側（少なくとも左右側方及び上方）の主キックプレート３１には後方に凹陥した凹陥部３１Ａが形成されており、副キックプレート３３はこの凹陥部３１Ａ及び開口３２を開閉自在に閉塞する。そして、この副キックプレート３３の開口３２に対向する位置には、外気を機械室４内に導入するための複数の通気孔３４が形成され、この通気孔３４が形成された領域に対向するかたちで凝縮器２０は配置されている。
【００３５】
また、凝縮器用フィルタ２３は、この実施例では主キックプレート３１の開口３２に副キックプレート３３側から着脱可能に取り付けられ、主キックプレート３１の副キックプレート３３側に位置する。凝縮器用送風機２１は凝縮器２０に対してキックプレート２４とは反対側の機械室４内に設置されており、この凝縮器用送風機２１が運転されると、副キックプレート３３の通気孔３４から外気が吸引され、凝縮器２０に通風される。主キックプレート３１の内面側（凝縮器２０側の面）には矩形状のダクト部材４０が取り付けられており、このダクト部材４０は主キックプレート３１の一部を構成する。前述した開口３２と凹陥部３１Ａはこのダクト部材４０の内側に構成され、ダクト部材４０の後端開口に凝縮器２０が当接する。そして、このダクト部材４０内に副キックプレート３３の通気孔３４から凝縮器２０に至る外気の通風路の一部が構成され、凝縮器用フィルタ２３は、開口３２を塞ぐかたちで取り付けられて（図６）、副キックプレート３３の通気孔３４から凝縮器２０に至る外気の通風路に配置されることになる。
【００３６】
（２）キックプレート２４の構造
次に、図３〜図１１を参照しながら、キックプレート２４と当該キックプレート２４に取り付けられた各部材の構成について説明する。前述した如くキックプレート２４は主キックプレート３１と副キックプレート３３から構成されている。
【００３７】
（３）主キックプレート３１の構造
機械室４がショーケース本体２の下部に構成されている関係で、主キックプレート３１（キックプレート２４）は横長矩形の板状部材から構成されており、その下縁部には係合片３７が形成され、内側には架台１６等に着脱する左右一対のマグネット３８が設けられている（図６）。そして、主キックプレート３１はその係合片３７を架台１６に係合させることにより、その下縁部を軸として前方に開閉可能とされている。また、主キックプレート３１の下縁部の係合片３７と架台１６との係合を解除することにより、主キックプレート３１（キックプレート２４）はショーケース１から完全に取り外すこともできる。即ち、キックプレート２４はショーケース１から着脱可能とされている。
【００３８】
また、主キックプレート３１の凝縮器２０に対応する位置には前述した矩形状の開口３２が形成されている。そして、この開口３２には前側（副キックプレート３３側）から凝縮器用フィルタ２３が抑え具３６と化粧ネジ３５により着脱可能に取り付けられ、前述した如く通気孔３４から凝縮器２０に至る外気の通風路に配置される。
【００３９】
（４）副キックプレート３３の構造
一方、副キックプレート３３は主キックプレート３１の開口３２と凹陥部３１Ａを閉塞可能な寸法の横長矩形の板状部材から構成されており、この副キックプレート３３には前述した如く複数の通気孔３４が形成されている。実施例では、通気孔３４は横長の長孔形状であり、各通気孔３４は、複数列×複数段のマトリクス状に配置されている。即ち、通気孔３４は、所定の間隔をおいて左右方向及び上下方向に整列するよう形成されている。従って、副キックプレート３３には、横方向に隣り合う通気孔３４間に形成された複数の通気孔非形成領域が上下方向に延在していることになる。
【００４０】
また、副キックプレート３３には、通気孔３４の上方において、清掃装置２６の操作のための、左右方向（清掃装置２６の移動方向）に延在する長穴形状のスリットとしての操作用スリット４１が形成されている（図３、図７）。更に、副キックプレート３３の通気孔３４の下方には、清掃装置２６の摺動のための、左右に延在する長穴形状のガイド孔４２が操作用スリット４１と平行して形成されている（図４、図８）。
【００４１】
この副キックプレート３３の下縁部左右には係合孔４３が形成されている（図８）。また、主キックプレート３１の開口３２の両側の凹陥部３１Ａの下部には係合片４４が形成されており、開口３２の両側の凹陥部３１Ａの上部には、副キックプレート３３に吸着して保持するためのマグネット４６が設けられている（図１１）。そして、副キックプレート３３の係合孔４３に主キックプレート３１の係合片４４を係合させることにより、副キックプレート３３はその下縁部を軸として前方に開閉可能とされている。また、副キックプレート３３の下縁部の係合孔４３と主キックプレート３１の係合片４４との係合を解除することにより、副キックプレート３３は主キックプレート３１から完全に取り外すこともできる。即ち、副キックプレート３３は主キックプレート３１から着脱可能とされている。
【００４２】
（５）凝縮器用フィルタ２３の構造
前記凝縮器用フィルタ２３は、図１０に示すように、横長矩形状のメッシュ部材からなるフィルタ本体４７と、フィルタ本体４７の左右の片及び上辺に設けられた主フレーム４８と、フィルタ本体４７の下片に設けられると共に、主フレーム４８の左右の辺を連結する下補助フレーム４９と、フィルタ本体４７の上下方向の中央において主フレーム４８の左右の片を連結する中央補助フレーム５１を備えている。フィルタ本体４７の大きさは、開口３２の開口寸法と略等しい寸法とされている。
【００４３】
主フレーム４８は、棒状部材を屈曲形成してなり、主フレーム４８の左右の下端部は、下補助フレーム４９よりも下方に位置し、この主フレーム４８の左右の下端部は、主キックプレート３１の図示しない保持孔に挿脱自在に挿通される。また、凝縮器用フィルタ２３が主キックプレート３１に取り付けられた状態で、中央補助フレーム５１は、フィルタ本体４７に対して凝縮器２０側に配置される。
【００４４】
（６）清掃装置２６の構造
また、図４、図８、図９、図１１に示すように実施例の清掃装置２６は、略矩形枠状の清掃装置本体５６と、清掃装置本体５６に連結されて副キックプレート３３側に突出する操作部５７と、清掃装置本体５６に付設された左右一対のブラシ５８を備えている。清掃装置本体５６は、左右方向に延在する上辺６１及び下辺６２と、上下方向に延在する左辺６３及び右辺６４を備えている。即ち、清掃装置本体５６の各辺６１〜６４によって囲繞された領域は開口部６５となる。
【００４５】
清掃装置本体５６の下辺６２の底面には、副キックプレート３３のガイド孔４２に挿通され凸部６６が設けられている。実施例では、下辺６２に上下方向に取り付けたネジにより凸部６６が構成されている。操作部５７は、副キックプレート３３の操作用スリット４１に挿通されると共に、清掃装置本体５６の上辺６１の中央に連結された連結軸６７と、連結軸６７の端部に形成され、副キックプレート３３の外側に臨む把手６８を備えている。
【００４６】
これら凸部６６とガイド孔４２、連結軸６７と操作用スリット４１により、清掃装置２６の移動可能方向が、操作用スリット４１及びガイド孔４２に平行、即ち副キックプレート３３の左右方向に規制される。このような構成により、副キックプレート３３の外側から把手６８を左右に移動させることで、清掃装置２６を副キックプレート３３の内側においてガイド孔４２に沿って左右に移動させることができるようになる。
【００４７】
この清掃装置２６の左右の移動可能領域は、ガイド孔４２の横方向の長さによって規定される。ここで、ガイド孔４２は、清掃装置２６が移動可能領域の左右両端まで移動したとき、当該移動可能領域の左右両端側のブラシ５８が、主キックプレート３１に取り付けられた凝縮器用フィルタ２３よりも外側に位置するように形成されている。
【００４８】
尚、清掃作業を行っていない通常時（待機時）には、清掃装置２６は、何れか一方の端に位置にさせておくものとする。このとき、主キックプレート３１の開口３２の両端部外側であって、清掃装置２６の移動可能領域に含まれる位置には、前述した凹陥部３１Ａ内にストッパ６９がそれぞれ取り付けられている（図４、図１１）。そして、清掃装置２６が移動可能領域の何れか一方の端（左右端：所定位置）に位置しているとき、清掃装置本体５６の左辺６３、又は、右辺６４の何れかがこのストッパ６９の後側に係脱自在に係合するように構成されている（図１１）。このように左辺６３、又は右辺６４がストッパ６９に係合した状態では、副キックプレート３３の開放が禁止される。
【００４９】
清掃装置２６のブラシ５８は、清掃装置２６の移動方向（左右方向）における清掃装置本体５６の両端部に位置する左辺６３、及び、右辺６４に取り付けられている。即ち、清掃装置本体５６は一対のブラシ５８を所定の間隔で維持した状態で保持する保持部材である。ブラシ５８の毛は後方にある凝縮器用フィルタ２３方向に延在し、凝縮器用フィルタ２３に所定の圧力で摺動自在に当接する。各ブラシ５８は、凝縮器用フィルタ２３の外気流入側に対して上下に渡って延在する態様で摺動自在に当接するよう、上下方向を長手方向とする縦長形状とされている。それにより、清掃装置２６が左右に移動されると、ブラシ５８の毛が凝縮器用フィルタ２３のフィルタ本体４７の表面を擦り、凝縮器用フィルタ２３に付着した塵埃が除去されてブラシ５８に付着する。これにより、凝縮器用フィルタ２３の全面に渡って安定した塵埃の除去が可能とされている。
【００５０】
また、清掃装置２６が待機時の位置にあるときには、一方のブラシ５８は凝縮器用フィルタ２３より外側に位置する。このとき、他方のブラシ５８は、副キックプレート３３に形成された通気孔３４の間隙と対向する。即ち、副キックプレート３３における通気孔非形成領域と対向する。このような構成により、待機時においてブラシ５８が通気孔３４を塞ぐことによる外気の吸入量の低下を防止できる。また、ショーケース１の前方からブラシ５８が見えないので、外観も良好となる。
【００５１】
（７）塵埃除去具７１
一方、主キックプレート３１の開口３２（凝縮器用フィルタ２３が取り付けられる）の左右の外側には、塵埃除去具７１が取り付けられている（図１１）。この塵埃除去具７１は図１４、図１６、図１７に拡大して示すようにダクト部材４０の外面に取り付けられ、凹陥部３１Ａ内に位置する。そして、各図に示すように凝縮器用フィルタ２３と略面一となる位置において、外側に向いたノコギリ形状の塵埃除去部７２が上下に渡って形成されている。左右の塵埃除去具７１（塵埃除去部７２）は清掃装置２６の移動可能領域に位置しており、清掃装置２６が移動可能領域の何れか一方の端（左右端）まで移動されたとき、清掃装置本体５６の左辺６３、又は、右辺６４の何れかは塵埃除去具７１の塵埃除去部７２を通過してその外側まで移動するように構成されている。
【００５２】
（８）清掃装置２６による清掃作業
次に、図１２〜図１７を参照しながら清掃装置２６による凝縮器用フィルタ２３の清掃作業について説明する。尚、各図では副キックプレート３３を透視して示している。例えば、清掃装置２６が移動可能領域の向かって右側の端部に位置しているものとし（図１２に示す待機時）、その状態から図１３に示すように副キックプレート３３の外側から操作部５７の把手６８を持って清掃装置２６を向かって左端に移動させていくと、凝縮器用フィルタ２３のフィルタ本体４７に付着した塵埃Ｄ（各図中にハッチングで示す）が左辺６３のブラシ５８の毛によって擦り取られ、除去されていく。この除去された塵埃Ｄは、当該ブラシ５８の外側（向かって左側）に集められてブラシ５８に付着し、堆積していく（図１４）。
【００５３】
そして、清掃装置２６を移動可能領域の向かって左側の端部まで移動させると、左辺６３のブラシ５８の外側に集められて堆積した塵埃Ｄは、ブラシ５８が塵埃除去具７１の塵埃除去部７２を通過した際に、当該ブラシ５８から剥離され、清掃装置本体５６の左辺６３より内側に回収される（図１５）。尚、左辺６３のブラシ５８が塵埃除去部７２を通過した後も図１６の如くブラシ５８に付着している塵埃Ｄ１は（図１６）、図１７に示すように清掃装置２６を向かって右方に移動させた後も塵埃除去具７１の外側に残留することになるが、清掃装置２６を数回左右に移動させることで、この塵埃Ｄ１もブラシ５８により清掃装置本体５６の左辺６３より内側に回収されることになる。
【００５４】
上記は清掃装置２６を移動可能領域の向かって右側の端部まで移動させた場合にも同様であり、右辺６４のブラシ５８の外側に集められて堆積した塵埃Ｄは、ブラシ５８が塵埃除去具７１の塵埃除去部７２を通過した際に、当該ブラシ５８から剥離され、清掃装置本体５６の右辺６４より内側に回収されることになる。
【００５５】
このようにして清掃装置２６の清掃装置本体５６の内側に回収され、蓄積された塵埃Ｄを廃棄する際には、先ず、操作部５７の把手６８を持って清掃装置本体５６の左辺６３及び右辺６４がストッパ６９と係合しない位置まで清掃装置２６を移動させた後、把手６８を引く。それにより、副キックプレート３３がマグネット４６から引き離されるので、副キックプレート３３はその下縁部を軸として前方に開放される（図４）。この状態で清掃装置２６は凝縮器用フィルタ２３より分離されて外部に露出するので、清掃装置本体５６の内側に蓄積した塵埃Ｄを掃除機で吸い取る等して回収し、廃棄する。
【００５６】
また、清掃装置５６で除去できない汚れや凝縮器用フィルタ２３の破損があった場合には、図４の状態から副キックプレート３３の係合孔４３と主キックプレート３１の係合片４４との係合を解除する。これにより、副キックプレート３３を主キックプレート３１から取り外す。次に、化粧ネジ３５を緩めて抑え具３６を外し、凝縮器用フィルタ２３を主キックプレート３１から取り外して清掃、又は、交換する。
【００５７】
このように本発明によれば清掃装置２６を移動させることにより、凝縮器用フィルタ２３に付着した塵埃をブラシ５８により除去することができるので、凝縮器用フィルタ２３の清掃を容易、且つ、確実に行い、凝縮器２０における冷媒と外気との熱交換効率の悪化を防止することができるようになる。
【００５８】
特に、キックプレート２４の主キックプレート３１には清掃装置２６の移動可能領域に位置してブラシ５８に付着した塵埃を除去するための塵埃除去具７１（塵埃除去部７２）を設け、ブラシ５８が塵埃除去部７２を通過したとき、ブラシ５８に付着した塵埃が清掃装置本体５６の内側に回収されるようにしたので、ブラシ５８に塵埃が堆積して通気孔３４から外部に露出し、外観が悪化する不都合も解消することができるようになる。
【００５９】
この場合、実施例の如く機械室４がショーケース本体２の下部に構成されている場合には、凝縮器用フィルタ２３は横長形状のものとなるので、実施例の如く、清掃装置２６を左右方向に移動自在に設けることで、凝縮器用フィルタ２３全体を円滑に清掃することができるようになる。
【００６０】
また、実施例ではキックプレート２４を、凝縮器２０に対向する位置に形成された開口３２を有する主キックプレート３１と、この主キックプレート３１に取り付けられ、当該主キックプレート３１の開口３２を開閉自在に閉塞する副キックプレート３３から構成し、通気孔３４を副キックプレート３３に形成すると共に、清掃装置２６を副キックプレート３３の内側に移動自在に設けているので、副キックプレート３３を開放することで、清掃装置２６の清掃装置本体５６内に回収した塵埃を取り出すことができるようになる。
【００６１】
即ち、主キックプレート３１を開放すること無く、副キックプレート３３を開放するのみで清掃装置本体５６の内側に回収した塵埃を取り除くことができるようになるので、清掃装置２６からの塵埃の回収作業も容易となり、そのための作業スペースも縮小することができるようになる。また、清掃装置２６は副キックプレート３３の外側から操作可能とされているので、操作性も向上する。
【００６２】
この場合、実施例では清掃装置２６の清掃装置本体５６に、副キックプレート３３側に突出する操作部５７を設け、副キックプレート３３には、清掃装置２６の移動方向に延在する操作用スリット４１を形成して、操作部５７の把手６８が操作用スリット４１に挿通されて副キックプレート３３の外側に臨むようにしているので、副キックプレート３３の外側から清掃装置２６を極めて容易、且つ、円滑に移動操作することができるようになる。
【００６３】
また、実施例では凝縮器用フィルタ２３を、主キックプレート３１の開口に、副キックプレート３３側から着脱可能に取り付けるようにしているので、凝縮器用フィルタ２３そのものの汚れが目立って来た場合や、破損した場合等にも副キックプレート３３を開放するだけで凝縮器用フィルタ２３を取り出し、洗浄や交換を行うことができるようになり、凝縮器用フィルタ２３自体のメンテナンス作業性も極めて良好なものとなる。
【００６４】
特に、実施例では副キックプレート３３を、主キックプレート３１に着脱可能に取り付けるようにしているので、副キックプレート３３を主キックプレート３１から取り外した状態で清掃装置２６からの塵埃の回収や凝縮器用フィルタ２３の着脱を行うことができるようになり、メンテナンス作業性が一層向上する。
【００６５】
また、実施例では主キックプレート３１の開口３２の両側の凹陥部３１Ａにストッパ６９を設け、清掃装置２６を移動可能領域の何れか一方の端に移動させたときにストッパ６９に係脱自在に係合するようにしており、清掃装置２６がストッパ６９に係合した状態では、副キックプレート３３の開放が禁止されるようにしているので、清掃装置２６を用いて副キックプレート３３が不用意に開放されてしまう不都合も回避することができるようになる。
【００６６】
（９）清掃検出装置７６
ここで、ショーケース１には清掃装置２６の移動を検出するための清掃検出装置７６（図１８）が設けられている。実施例の清掃検出装置７６は、清掃装置２６の移動可能領域の中央部における主キックプレート３１の開口３２の上側の凹陥部３１Ａに設けられた検出出力発生部としてのリードスイッチ７３と、清掃装置２６の清掃装置本体５６の上辺６１の後面に取り付けられたマグネット７４から構成されている。
【００６７】
清掃装置２６を待機時の位置（左端か右端）から清掃のために中央方向に移動（左右方向への移動）させると、マグネット７４がリードスイッチ７３に近接した時点でリードスイッチ７３が閉じる。これが清掃装置２６の移動を検出した出力となるので、それにより、清掃装置２６を用いた凝縮器用フィルタ２３の清掃が実施されたか否かを検出することができるようになる。
【００６８】
（１０）制御装置７７
次に、図１８を参照してショーケース１の制御系について説明する。図１８はショーケース１の制御系の機能ブロック図である。尚、ここでは本願発明の要旨に係る構成のみを説明する。ショーケース１は、図１８に示すように、前述した清掃検出装置７６、凝縮器２０の温度を検出する凝縮器温度センサ７８と、制御装置７７と、警報装置８３と、通信制御装置８４を備えている。制御装置７７は、清掃検出装置７６の検出結果に基づき凝縮器用フィルタ２３の清掃の実施状況を判定するフィルタ清掃実施判定部８２を備えている。ショーケース１は、通信制御装置８４及び店舗に設置されたネットワーク制御装置８６を介して店舗端末８７と通信可能とされている。店舗端末８７は、例えばタブレット端末などの店員に携帯されるコンピュータであり、１台又は複数台のショーケース１を集中管理する。
【００６９】
フィルタ清掃実施判定部８２は、清掃検出装置７６が清掃装置２６の左右方向への移動を検出すると、凝縮器用フィルタ２３の清掃が実施済みであると判定する。また、フィルタ清掃実施判定部８２は、清掃検出装置７６が清掃装置２６の左右方向への移動が所定期間（例えば２週間）検出されない場合、所定期間清掃が不実施であると判定する。フィルタ清掃実施判定部８２は、凝縮器用フィルタ２３の清掃が実施済みであると判定した場合、通信制御装置８４及びネットワーク制御装置８６を介して店舗端末８７に前記判定結果を通知する。
【００７０】
また、フィルタ清掃実施判定部８２は、所定期間清掃が不実施であると判定とした場合、通信制御装置８４及びネットワーク制御装置８６を介して店舗端末８７に前記判定結果を通知する。店舗端末８７は、受信した各通知を記憶・管理し、各通知に基づきショーケース１を集中管理する。店舗端末８７は、各通知を受信すると、店員に対して凝縮器用フィルタ２３の清掃を促すなど各通知に対応した処理を行う。また、前記判定結果は、ネットワーク制御装置８６を介して店舗外の管理コンピュータ（図示省略）に通知することもできる。
【００７１】
また、フィルタ清掃実施判定部８２は、前記判定結果を警報装置８３に通知する。警報装置８３は、凝縮器温度センサ７８により検出された凝縮器２０の温度及び受信した通知に基づき、所定の条件で警報動作を行う。警報動作の形態としては、ランプやブザーなどによる警報が挙げられる。尚、前記条件には「凝縮器２０の温度が所定の正常温度範囲内にあるか否か」が含まれる。また、前記所定期間は、凝縮器用フィルタ２３が清掃された状態から塵埃が蓄積することにより凝縮器２０の温度が所定の正常温度範囲を超えるまでの期間よりも小さく設定されている（例えば２週間）。このため、店員が凝縮器用フィルタ２３の清掃を長期間行っていない場合、警報装置８３による警報動作よりも先に、店舗端末８７が店員に対して凝縮器用フィルタ２３の清掃を促す処理が行われる。
【００７２】
このように、清掃装置２６の移動を検出する清掃検出装置７６と、この清掃検出装置７６の検出結果に基づいて凝縮器用フィルタ２３の清掃実施状況を判定する制御装置７７を設けているので、凝縮器用フィルタ２３の清掃実施状況に基づき、凝縮器用フィルタ２３の清掃時期の管理など種々の管理を行うことができるようになる。
【００７３】
特に、清掃検出装置７６をリードスイッチ７３（検出出力発生部）とそれを開閉させるためのマグネット７４から構成し、リードスイッチ７３を主キックプレート３１に設け、マグネット７４を清掃装置２６に設けているので、清掃検出装置７６のリードスイッチ７３（検出出力発生部）の配線を主キックプレート３１側で行うことができるようになる。これにより、実施例の如く副キックプレート３３が開閉自在とされている場合にも、開閉操作を支障無く行うことができるようになる。
【００７４】
以上本発明の一実施例について詳述したが本発明はこれに限定されるものではない。例えば、上記実施例では清掃装置２６に対して２つのブラシ５８を設けたが、３つ以上のブラシ５８を設けてもよい。また、実施例では、清掃装置本体５６を枠状のもので説明したが、それに限らず、容器状のものとし、更に左右方向のスリットを上下に複数形成した構造でもよい。また、特に清掃装置本体５６を容器状のものとした場合には、凝縮器用フィルタ２３よりも外側まで清掃装置２６の移動可能領域を広げて、待機時には凝縮器用フィルタ２３から完全に外れた位置に清掃装置２６を配置できるようにすれば、外気の通風に清掃装置２６が障害となる不都合も解消することができるようになる。
【００７５】
また、上記実施例では機械室４をショーケース本体２の下部に構成したが、それに限らず、請求項２の発明はショーケース本体２の上部に機械室４を構成する場合にも有効である。更に、実施例では清掃装置２６を左右方向に移動させるようにしたが、請求項２以外の発明では、特にショーケース本体の側部に機械室が構成される場合等に、上下方向に移動させる方式としてもよい。また、実施例では清掃装置２６が移動可能領域の端部に位置したとき（待機時）にストッパ６９に係合するようにしたが、それに限らず、移動可能領域の他の所定位置を決めておいて、そこでストッパ５９と清掃装置２６が係合し、副キックプレート３３の開閉が禁止されるようにしてもよい。
【００７６】
また、実施例では清掃検出装置７６をリードスイッチ７３とマグネット７４で構成したが、それに限らず、例えばフォトセンサ等を検出出力発生部として主キックプレート３１に設け、フォトセンサにより光学的に清掃装置２６の移動を検出するものでもよく、更には機械的なスイッチを検出出力発生部として主キックプレート３１に設け、清掃装置２６が移動してこのスイッチを開閉するような方式でもよい。
【００７７】
また、実施例では、前面にキックプレート２４を設けたショーケース１について例示したが、左右側面や背面にキックプレート２４を設けたショーケースであってもよく、ショーケース自体も実施例の如き前面開放型のオープンショーケースに限らず、上面開放型の平型オープンショーケースや、前面に扉を設けたショーケースであっても本発明を実施できる。
【００７８】
更に、実施例ではキックプレート２４を主キックプレート３１と副キックプレート３３の二部品構成としたが、請求項１や請求項２の発明ではそれに限らず、単一のキックプレートで構成しても差し支えない。
【符号の説明】
【００７９】
１  ショーケース
２  ショーケース本体
４  機械室
２０  凝縮器
２１  凝縮器用送風機
２３  凝縮器用フィルタ
２４  キックプレート
２６  清掃装置
３１  主キックプレート
３２  開口
３３  副キックプレート
３４  通気孔
４１  操作用スリット（スリット）
５８  ブラシ
５７  操作部
６９  ストッパ
７１  塵埃除去具
７２  塵埃除去部
７３  リードスイッチ（検出出力発生部）
７４  マグネット
７６  清掃検出装置
７７  制御装置
【図１】
2020028637.tif 000003
【図２】
2020028637.tif 000004
【図３】
2020028637.tif 000005
【図４】
2020028637.tif 000006
【図５】
2020028637.tif 000007
【図６】
2020028637.tif 000008
【図７】
2020028637.tif 000009
【図８】
2020028637.tif 000010
【図９】
2020028637.tif 000011
【図１０】
2020028637.tif 000012
【図１１】
2020028637.tif 000013
【図１２】
2020028637.tif 000014
【図１３】
2020028637.tif 000015
【図１４】
2020028637.tif 000016
【図１５】
2020028637.tif 000017
【図１６】
2020028637.tif 000018
【図１７】
2020028637.tif 000019
【図１８】
2020028637.tif 000020